(57)【特許請求の範囲】
【請求項１】
複数のシートを針を用いずに綴じる綴じ処理を行う綴じ手段を制御する印刷装置であって、
シートに画像を印刷する印刷手段と、
前記印刷手段により印刷されるシートの枚数を取得する取得手段と、
前記印刷手段により印刷されるシートを複数に分けて綴じるか否かをユーザが指示するための画面を、前記取得手段が取得したシートの枚数が前記綴じ手段によって綴じることのできる枚数よりも多い場合に表示する表示手段と、
前記画面を介して、前記印刷手段により印刷されるシートを複数に分けて綴じることが指示された場合に、前記印刷手段により印刷されるシートを前記綴じ手段が綴じることのできる枚数ごとの複数のシート群に分けて、前記複数のシート群のそれぞれに対して綴じ処理を行うように前記綴じ手段を制御する制御手段と、
を備え、
前記表示手段によって表示される画面に、前記綴じ手段によって綴じることのできる枚数を示す情報が含まれることを特徴とする印刷装置。
【請求項２】
前記綴じ手段が綴じることのできる枚数は、シートの坪量に応じてあらかじめ設定されることを特徴とする請求項１に記載の印刷装置。
【請求項３】
複数のシートを針を用いずに綴じる綴じ処理を行う綴じ手段と、
前記綴じ手段によって綴じ処理すべきシートの枚数を取得する取得手段と、
前記綴じ処理すべきシートを複数に分けて綴じるか否かをユーザが指示するための画面を、前記取得手段が取得したシートの枚数が前記綴じ手段によって綴じることのできる枚数よりも多い場合に表示する表示手段と、
前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御手段と、
を備え、
前記表示手段によって表示される画面に、前記綴じ手段によって綴じることのできる枚数を示す情報が含まれることを特徴とする綴じ装置。
【請求項４】
複数のシートを針を用いずに綴じる綴じ処理を行う綴じ手段を制御する印刷装置の制御方法であって、
シートに画像を印刷する印刷工程と、
前記印刷工程で印刷されるシートの枚数を取得する取得工程と、
前記印刷工程で印刷されるシートを複数に分けて綴じるか否かをユーザが指示するための画面を、前記取得工程で取得されたシートの枚数が前記綴じ手段によって綴じることのできる枚数よりも多い場合に表示する表示工程と、
前記画面を介して、前記印刷工程で印刷されるシートを複数に分けて綴じることが指示された場合に、前記印刷工程で印刷されるシートを前記綴じ手段が綴じることのできる枚数ごとの複数のシート群に分けて、前記複数のシート群のそれぞれに対して綴じ処理を行うように前記綴じ手段を制御する制御工程と、
を備え、
前記表示工程で表示される画面に、前記綴じ手段によって綴じることのできる枚数を示す情報が含まれることを特徴とする印刷装置の制御方法。
【請求項５】
複数のシートを針を用いずに綴じる綴じ処理を行う綴じ手段を備える綴じ装置の制御方法であって、
前記綴じ手段によって綴じ処理すべきシートの枚数を取得する取得工程と、
前記綴じ処理すべきシートを複数に分けて綴じるか否かをユーザが指示するための画面を、前記取得工程で取得されたシートの枚数が前記綴じ手段によって綴じることのできる枚数よりも多い場合に表示する表示工程と、
前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御工程と、
を備え、
前記表示工程で表示される画面に、前記綴じ手段によって綴じることのできる枚数を示す情報が含まれることを特徴とする綴じ装置の制御方法。
【請求項６】
請求項４に記載の印刷装置の制御方法をコンピュータに実行させることを特徴とするプログラム。
【請求項７】
請求項５に記載の綴じ装置の制御方法をコンピュータに実行させることを特徴とするプログラム。
【発明の詳細な説明】
【技術分野】
【０００１】
本発明は、複数のシートを針を用いずに綴じる綴じ処理を行う印刷装置、綴じ装置、これらの制御方法、及びプログラムに関するものである。
【背景技術】
【０００２】
コピーやプリンタ機能をもつ画像処理装置には、出力する印刷シートを後処理するシート処理装置が付属しているものがある。このシート処理装置の持つ代表的な機能としてステイプル綴じ機能がある。ステイプル綴じ機能は金属の針金を使用してシートを綴じる機能である。
ステイプル綴じされた印刷物は部ごとに取り扱いやすいため、複数ページの出力物を扱う際に広く使用されている。
しかし、最近では金属針を使用している面から環境への配慮が行われ、針を使用しない綴じ方法が考案されている。例えば綴じる一組の印刷シートの一部をまとめてくりぬくように切り取り、その切り先を織り込んで綴じる方法が考案されている（特許文献１参照）。
【先行技術文献】
【特許文献】
【０００３】
【特許文献１】特開平８−３００８４７号公報
【発明の概要】
【発明が解決しようとする課題】
【０００４】
前述したように、金属の針を使用しないで綴じる方法は様々と実用化されているが、金属の針を使用したステイプル綴じ方式と比較して異なる特徴がある。その１つとして、針不使用の綴じでは、ステイプル綴じよりも綴じる力が弱いので、一度に綴じられる最大枚数が少ない。また、ステイプル綴じと針不使用の綴じの両方をもったシート処理部が接続される場合、２つの綴じ処理は綴じ位置がそれぞれ異なり、また、綴じられる枚数や表裏の概念が異なるため、画像を作成する時点でそれぞれに適した画像位置制御が必要となる。
このため、針無しの綴じ処理すべきシートの枚数が綴じ処理できるシートの枚数を超えてしまう場合、ユーザが針無しの綴じ処理を指定してしまうと、シート束に綴じ処理を行えない場合があった。
本発明は、上記の課題を解決するためになされたもので、本発明の目的は、シート枚数が多いシート束に対して針を用いない綴じ処理が指定された場合に、ユーザの意図に反することなく複数に分けて綴じることのできる仕組みを提供することである。
【課題を解決するための手段】
【０００５】
上記目的を達成する本発明の印刷装置は、複数のシートを針を用いずに綴じる綴じ処理を行う綴じ手段を制御する印刷装置であって、シートに画像を印刷する印刷手段と、前記印刷手段により印刷されるシートの枚数を取得する取得手段と、前記印刷手段により印刷されるシートを複数に分けて綴じるか否かをユーザが指示するための画面を、前記取得手段が取得したシートの枚数が前記綴じ手段によって綴じることのできる枚数よりも多い場合に表示する表示手段と、前記画面を介して、前記印刷手段により印刷されるシートを複数に分けて綴じることが指示された場合に、前記印刷手段により印刷されるシートを前記綴じ手段が綴じることのできる枚数ごとの複数のシート群に分けて、前記複数のシート群のそれぞれに対して綴じ処理を行うように前記綴じ手段を制御する制御手段と、を備え、前記表示手段によって表示される画面に、前記綴じ手段によって綴じることのできる枚数を示す情報が含まれることを特徴とする。
また、本発明の綴じ装置は、複数のシートを針を用いずに綴じる綴じ処理を行う綴じ手段と、前記綴じ手段によって綴じ処理すべきシートの枚数を取得する取得手段と、前記綴じ処理すべきシートを複数に分けて綴じるか否かをユーザが指示するための画面を、前記取得手段が取得したシートの枚数が前記綴じ手段によって綴じることのできる枚数よりも多い場合に表示する表示手段と、前記画面を介して、前記綴じ処理すべきシートを複数に分けて綴じることが指示された場合に、前記綴じ処理すべきシートを前記綴じ手段が綴じることのできる枚数ごとの複数のシート群に分けて、前記複数のシート群のそれぞれに対して綴じ処理を行うように前記綴じ手段を制御する制御手段と、を備え、前記表示手段によって表示される画面に、前記綴じ手段によって綴じることのできる枚数を示す情報が含まれることを特徴とする。
【発明の効果】
【０００６】
本発明によれば、シート枚数が多いシート束に対して針を用いない綴じ処理が指定された場合に、ユーザの意図に反することなく複数に分けて綴じることが可能となる。
【図面の簡単な説明】
【０００７】
【図１】印刷制御装置を適用する画像処理装置の構成を説明するブロック図である。
【図２】シート処理部の構成例を示す断面図である。
【図３】各綴じ部との配置および綴じ作業域を示す図である。
【図４】図２に示した第２の綴じ部の綴じ処理を説明する断面図である。
【図５】図２に示した第２の綴じ部の綴じ処理動作を説明する断面図である。
【図６】図２に示した第２の綴じ部の綴じ処理動作を説明する断面図である。
【図７】印刷制御装置の制御方法を説明するフローチャートである。
【図８】印刷制御装置の制御方法を説明するフローチャートである。
【図９】図１に示した操作部に表示されるＵＩ画面の一例を示す図である。
【図１０】印刷制御装置の制御方法を説明するフローチャートである。
【図１１】綴じ処理方法の態様による異なる綴じ処理を説明する図である。
【発明を実施するための形態】
【０００８】
次に本発明を実施するための最良の形態について図面を参照して説明する。
＜システム構成の説明＞
〔第１実施形態〕
【０００９】
図１は、本実施形態を示す印刷制御装置を適用する画像処理装置の構成を説明するブロック図である。本例は、画像を読み取る読み取り機能と、画像をシートに印刷する印刷機能とを備える画像処理装置に、シート後処理を行うシート処理装置を接続可能に構成されている場合を示す。また、画像処理装置とシート処理装置は、シートに綴じ処理を行う綴じ制御装置としても機能する。
【００１０】
図１において、ＣＰＵ１０１は、システムの制御部であり、装置全体を制御する。ＲＯＭ１０２は、ＣＰＵ１０１の制御プログラムを格納する。ＳＲＡＭ１０３は、オペレータが登録した設定値や装置の管理データ等や各種ワーク用バッファ等を格納する。ＳＲＡＭ１０３は、電池によりバックアップされており、装置の電源を切っても記憶内容が消えない不揮発性のＳＲＡＭである。また、ＳＲＡＭ１０３は、読み取られた画像データもここに格納する。
【００１１】
ＤＲＡＭ１０４は、プログラム制御変数等を格納するためのものである。操作部１０５は機器内の情報を表示するユーザとのインタフェース部で、後述するユーザインタフェース画面を表示可能に構成されている。読み取り部１０６は画像データを読み取り、バイナリデータに変換する装置でありこれを用いて画像送信機能の原稿読み取りを行なう。記録部１０７は画像データをシートに印刷する。画像処理部１０８は、画像送信機能で扱う画像データの符号化復号化処理を行う。それぞれの制御部はデータバス１１０を介して繋がっており、画像データはデータバス１１０を通じて転送される。
また、記録部１０７はシート処理部１０９に接続されており、記録部１０７で印刷されたシートはシート処理部に送られる。シート処理部１０９は入力されたシートを揃えたり、出力トレイを切り替えたり、複数のシートを綴じる綴じ処理を行ったりする、後処理を行う箇所である。なお、本実施形態では、シート束を針を使用して綴じるものを第１の綴じ処理とし、シート束を針を使用しないで綴じるものを第２の綴じ処理として区別して説明する。
【００１２】
このように構成された画像処理装置において、読み取り部１０６から原稿画像を読み取ってバイナリデータに変換し、読み取った画像データをＳＲＡＭ１０３に一端格納する。画像処理部１０８で前記格納された画像データを変換してから記録部１０７でシートに印刷し、シート処理部１０９で後処理を行う印刷制御を例として動作を説明する。
【００１３】
図２は、図１に示したシート処理部１０９に関してさらに詳細を示したシート処理部の構成例を示す断面図である。本例は、画像処理装置のシート処理装置の筐体内部に設置されている例である。
【００１４】
なお、印刷処理を実行するエンジン部を備える記録部１０７については省略するが、シート処理部は画像処理装置本体部に接続されて使用される態様である。また、接続態様は、インライン方式とそれ以外の方式とがあるが本発明の適用に制限はない。
【００１５】
図２において、２０１はシート処理装置で、シート処理装置２０１は記録部１０７と接続されて使用される。記録部１０７からは搬送ローラ２０４を通してシートが送られてくる。２０５は両面印刷時にシートを反転させるための搬送ローラであり、反転時にはここを通って記録部１０７に再度入って裏面の印刷を行う。その場合も搬送ローラ２０４を通ってシート処理装置２０１に出力シートが送られる。
シート処理装置２０１では出力シートを揃えたり、移動したりする機能があるが、ここでは綴じ機能について注目する。
【００１６】
２０２はステイプラであり、ステイプル針のような金属針を使用してシートを綴じる機能を持つ第１の綴じ部である。２０３は、針を使用しないでシートを綴じる綴じ機能を提供する第２の綴じ部である。針を使用しない綴じの方法としては前記のとおり多数あるが、ここではシートの厚さ方向の上下から圧力をかける加圧力でシートを密着し綴じる方式の物を搭載している例とする。
【００１７】
このようにシート処理装置２０１に第１の綴じ部２０２と第２の綴じ部２０３が併設されているようなシート処理装置を例として挙げる。ただし、針を使用しない第２の綴じ部のみの構成であっても構わない。以下、第１の綴じ部２０２と第２の綴じ部２０３とが併設されている場合、単独の場合について以下に説明する。
【００１８】
なお、針無しの綴じ機能を使用する場合、前述の通りシートに加工する箇所を針を使うステイプル綴じに比べて大きく確保する必要がある。
【００１９】
図３は、図２に示した第１の綴じ部と第２の綴じ部との配置および綴じ作業域を示す図である。
【００２０】
図３において、３０１は綴じる際のシートを示し、第１の綴じ部２０２がスタンバイ位置に停止している状態を示す。実際にシートを綴じる際、第１の綴じ部２０２は、スタンバイ位置から矢印で示す綴じ位置３０２に移動してシートを綴じる構成となっている。なお、綴じ部を移動する機構は省略するが、その移動等はＣＰＵ１０１の指示にしたがって制御される。
【００２１】
同様に、針を使用しない第２の綴じ部２０３も通常は、スタンバイ位置に停止して、実際にシートを綴じる際、スタンバイ位置から綴じ位置３０３に移動してシートを綴じる構成となっている。すなわち、いろいろな綴じ方に応じて図１に示したＣＰＵ１０１の制御によって第１の綴じ部２０２と第２の綴じ部２０３とは可動可能となっている。
【００２２】
図４は、図２に示した第２の綴じ部の綴じ処理を説明する断面図である。ここではシートの厚さ方向の上下から圧力をかける加圧力でシートを密着し綴じる方法で説明する。具体的には、出力シートが綴じる位置にセットされ、図３で示したように綴じる綴じ位置３０３に第２の綴じ部２０３が移動した状態が図４の（ａ）に対応する。
【００２３】
図４において、４０１は上金型で、シートを圧力で押さえ付ける。上金型４０１には複数の凸形状の刃が付いており複数個所加圧することですぐにははがれないようにしている。４０５は下金型で、シートを圧力で押さえ付ける。下金型４０５にも上金型４０１の複数の凸部４０２に対応した凹部４０４があり上金型４０１の刃を受けるようになっている。上金型４０１と下金型４０５で出力シート束４０３を図４の（ｂ）に示すように上下方向からシートを加圧（図示しない加圧機構による）して押さえることで、シートを綴じることが可能となっている。綴じた後の出力シート束４０３の断面は、図５に示すようになる。綴じたシートを上から見ると、綴じ位置６０１は図６のようになる。
本実施形態では、図６の綴じ位置６０１の黒い部分が加圧されて、つぶれたシートの部分となる。なお、加圧して綴じるためこの方法では現状綴じる枚数が限られている。
また、１回の綴じでは綴じる力が弱いこともあり、２度綴じなどが行えるようになっている。
【００２４】
図７は、本実施形態を示す印刷制御装置の制御方法を説明するフローチャートである。本例は、綴じ処理に針を用いずに綴じ処理を行う場合、出力枚数が最大綴じ可能枚数より多い場合に出力物を複数のシート群に分けて針を用いずに綴じ処理する処理例である。なお、各ステップは、図１のＣＰＵ１０１が、ＲＯＭ１０２に格納されている図７のフローチャートを実行するためのプログラムを実行することで実現される。針を用いずに綴じ処理を行う第２の綴じ部による綴じ処理を詳述する。
【００２５】
印刷ジョブが開始されたら、ＣＰＵ１０１は、その印刷ジョブによって印刷されるべき出力物の出力枚数を確認する（Ｓ７０１）。続けて、確認した出力枚数が第２の綴じ部２０３で許容される最大綴じ可能枚数（以下、許容枚数）より多いかどうかを判断する（Ｓ７０２）。なお、本実施形態では、許容枚数が、第２の綴じ部２０３により静的に決められているが、シートの種類により動的に変更してもよい。ここで、シートの種類は、シート厚みや坪量によって決定される。
Ｓ７０２で、出力枚数が許容枚数より多いとＣＰＵ１０１が判断した場合は、ＣＰＵ１０１は出力物の先頭から許容枚数分のシート群を記録部１０７に出力させる（Ｓ７０３）。さらに、ＣＰＵ１０１は、その区切られたシート群に対して第２の綴じ部２０３を用いて針無しの綴じ処理を行うようシート処理部１０９を制御する（Ｓ７０４）。
【００２６】
そして、ＣＰＵ１０１は、出力物でまだ出力されていないシートがあるかどうかを判断する（Ｓ７０５）。ここで、出力物でまだ出力されていないシートがあるとＣＰＵ１０１が判断した場合は、ＣＰＵ１０１は、再度許容枚数分のシート群を記録部１０７に出力させ（Ｓ７０３）、そのシート群に対して第２の綴じ処理をシート処理部１０９に行わせる（Ｓ７０４）。Ｓ７０３で、最後に許容枚数に満たないシートが残ったとＣＰＵ１０１が判断した場合は、その枚数で第２の綴じ処理を行い（Ｓ７０４）、本処理を終了する。Ｓ７０３では、ＣＰＵ１０１は、許容枚数以下の任意の枚数分のシート群を記録部１０７に出力させるようにしてもよい。
また、出力枚数が第２の綴じ部２０３に設定された許容枚数より少ないとＣＰＵ１０１がＳ７０２で判断した場合は、ＣＰＵ１０１は、出力物の全てのシートを記録部１０７に出力させる（Ｓ７０６）。さらに、ＣＰＵ１０１は、全てのシートに対して第２の綴じ部２０３を用いて針無しの綴じ処理を行うようシート処理部１０９を制御して、本処理を終了する。
図７の処理では、出力物を許容枚数単位で複数のシート群に分けて、複数のシート群のそれぞれに対して針無しの綴じ処理を行う。
これらの処理を行うことで、利便性を大きく損なうことなく、第２の綴じ部２０３を使用して許容枚数以上の出力物に対して綴じ処理することができる。
【００２７】
なお、上記実施形態では、針無しによる綴じ処理が指定され、かつ、綴じ処理すべきシートの枚数が第２の綴じ部２０３が綴じられる枚数より多い場合、複数のシート群のそれぞれを第２の綴じ部２０３により綴じ処理を行わせた。さらに、針無しによる綴じ処理が指定され、かつ、綴じ処理すべきシートの枚数が第２の綴じ部２０３が綴じられる枚数より少ない場合、全てのページを第２の綴じ部２０３により綴じ処理を行わせるようにした。
【００２８】
このとき、許容枚数単位で複数回の綴じ処理を行う場合には、その綴じ位置を移動させて異なる位置に針無し綴じ処理を行うようにしてもよい。
【００２９】
〔第２実施形態〕
なお、上記第１実施形態では、綴じるべきシートの枚数が、第２の綴じ部２０３に設定された許容枚数より多いとＳ７０２で判断した場合、綴じるべきシートを許容枚数単位で複数のシート群に分けて綴じ処理をする場合を説明した。これに対して、本実施形態では、綴じるべきシート枚数が、第２の綴じ部２０３に設定された許容枚数より多いと判断した場合、図９に示すＵＩ画面で分冊出力の可否の問い合わせを行い、ユーザが選択する操作結果に基づいて綴じ処理を実行する場合を説明する。
【００３０】
図８は、本実施形態を示す印刷制御装置の制御方法を説明するフローチャートである。本例は、針無しの綴じ処理を行う第２の綴じ部２０３を使用したときに、出力枚数が許容枚数より多い場合に複数のシート群に分けて綴じ処理する処理例である。なお、各ステップは、図１のＣＰＵ１０１が、ＲＯＭ１０２に格納されている図８のフローチャートを実行するためのプログラムを実行することで実現される。
【００３１】
図９は、図１に示した操作部１０５の表示部に表示されるユーザインタフェース画面（ＵＩ画面）の一例を示す図である。本ＵＩ画面は、ＣＰＵ１０１の制御で操作部１０５の表示部に表示される。
印刷ジョブが開始されたら、ＣＰＵ１０１は、その印刷ジョブの出力枚数を確認する（Ｓ８０１）。続けて、出力枚数が第２の綴じ部２０３に設定された許容枚数より多いかどうかを判断するする（Ｓ８０２）。なお、本実施形態でも、許容枚数が、第２の綴じ部２０３により静的に決められているが、シートの種類により動的に変更してもよい。ここで、出力シートの種類は、シート厚みや坪量によって決定される。
【００３２】
Ｓ８０２において、出力枚数の方が許容枚数より多いとＣＰＵ１０１が判断した場合は、ＣＰＵ１０１は出力物の先頭から許容枚数単位で区切って出力してよいかをユーザに確認するため操作部１０５に、図９に示すＵＩ画面を表示する。
なお、図９に示すＵＩ画面９０１では、針無しの綴じ処理の許容枚数が５枚である場合を示している。
ここで、ユーザがＯＫボタン９０２を押下したとＣＰＵ１０１が判断した場合、ＣＰＵ１０１は出力物の先頭から許容枚数分のシート群を記録部１０７より出力させる（Ｓ８０４）。さらに、ＣＰＵ１０１は、その区切られたシート群に対して第２の綴じ部２０３を用いて針無しの綴じ処理を行うようシート処理部１０９を制御する（Ｓ８０５）。
【００３３】
次に、ＣＰＵ１０１は、出力物でまだ出力されていないシートがあるかどうかを判断し（Ｓ８０６）、出力物でまだ出力されていないシートがあると判断した場合は、Ｓ８０４へ戻る。最後に許容枚数に満たないシートが残った場合は、その枚数で第２の綴じ処理を行う（Ｓ８０５）。
一方、出力枚数が第２の綴じ部２０３に設定された許容枚数より少ないとＣＰＵ１０１がＳ８０２で判断した場合は、ＣＰＵ１０１は、出力物の全てのシートを記録部１０７に出力させる（Ｓ８０７）。さらに、ＣＰＵ１０１は、全てのシートに対して第２の綴じ部２０３を用いて第２の綴じ処理を行うようシート処理部１０９を制御して、本処理を終了する。
一方、Ｓ８０３で表示部に表示されたＵＩ画面においてユーザがキャンセルボタン９０３を押下しているとＣＰＵ１０１が判断した場合、ＣＰＵ１０１は出力物の全てのシートを記録部１０７に出力させて、本処理を終了する。この場合には、綴じ処理は行われない。
これらの処理を行うことで、許容枚数以上の出力物を出力する場合に、ユーザにも分かりやすく、第２の綴じ部を使用した綴じ機能を提供することができる。
〔第３実施形態〕
【００３４】
図１０は、本実施形態を示す印刷制御装置の制御方法を説明するフローチャートである。本例は、針無しの綴じ部と針有りの綴じ部の両方が搭載される場合の綴じ処理例である。なお、各ステップは、図１のＣＰＵ１０１が、ＲＯＭ１０２に格納されている図１０のフローチャートを実行するためのプログラムを実行することで実現される。
印刷ジョブが開始されたら、ＣＰＵ１０１は、その印刷ジョブの出力枚数を確認する（Ｓ１００１）。続けて、出力枚数が針無しの第２の綴じ部２０３に設定された許容枚数より多いかどうかを判断する（Ｓ１００２）。
【００３５】
ここで、出力枚数が許容枚数より少ないとＣＰＵ１０１が判断した場合、使用する綴じ部を第２の綴じ部２０３に決定し（Ｓ１００３）、Ｓ１００４へ進む。
一方、出力枚数が針無しの第２の綴じ部２０３に設定された許容枚数より多いとＣＰＵ１０１が判断した場合、使用する綴じ部を第１の綴じ部２０２に決定し（Ｓ１００６）、Ｓ１００４へ進む。
そして、ＣＰＵ１０１は、図１１に示す通り、決定した第１の綴じ部２０２、又は第２の綴じ部２０３に応じて印刷を行うよう画像処理部１０８及び記録部１０７を制御する（Ｓ１００４）。さらに、ＣＰＵ１０１は、決定した第１の綴じ部２０２又は第２の綴じ部２０３で綴じ処理を行うようシート処理部１０９を制御する（Ｓ１００５）。
例えば入力原稿１１０１の左上に綴じ処理を施すとき、第１の綴じ部２０２を使用する場合は、画像処理部１０８は画像データを１８０度回転して、記録部１０７は最終ページからシートを出力する。すると、先頭ページが上になるようにシート束１１１０が作成される。
また、第２の綴じ部２０３を使用する場合は、記録部１０７は、先頭ページの表が下向きになるようにして、先頭ページからシートを出力する。すると、シート束１１２０が作成される。
そして、シート処理部１０９は、Ｓ１００６で決定した第１の綴じ部２０２を用いて上記シート束１１１０に針有りの綴じ処理を行い、本処理を終了する（Ｓ１００５）。同様に、シート処理部１０９は、Ｓ１００３で決定した第２の綴じ部２０３を用いて上記シート束１１１０に針無しの綴じ処理を行い（Ｓ１００５）、本処理を終了する。
なお、図１１において、１１１０Ａは、ステイプルされた針を示し、１１２０Ａは、針無しの綴じを示す。
これらの処理を行うことで、出力枚数に応じて、針有りの綴じ処理、または針無しの綴じ処理を適宜切り替えて、出力物に対して最適な綴じ処理を施すことができる。
【００３６】
本発明の各工程は、ネットワーク又は各種記憶媒体を介して取得したソフトウエア（プログラムをパソコン（コンピュータ等の処理装置（ＣＰＵ、プロセッサにて実行することでも実現できる。
【００３７】
本発明は上記実施形態に限定されるものではなく、本発明の趣旨に基づき種々の変形（各実施形態の有機的な組合せを含むが可能であり、それらを本発明の範囲から除外するものではない。
【符号の説明】
【００３８】
１０１  ＣＰＵ
１０５  操作部
１０８  画像処理部
１０９  シート処理部
【図１】
0005896779.tif 000002
【図２】
0005896779.tif 000003
【図３】
0005896779.tif 000004
【図４】
0005896779.tif 000005
【図５】
0005896779.tif 000006
【図６】
0005896779.tif 000007
【図７】
0005896779.tif 000008
【図８】
0005896779.tif 000009
【図９】
0005896779.tif 000010
【図１０】
0005896779.tif 000011
【図１１】
0005896779.tif 000012